Podtech/llm-jp-corpus-v4-ja_patent huggingface dataset:
【手続補正書】
【提出日】平成27年9月25日(2015.9.25)
【手続補正１】
【補正対象書類名】特許請求の範囲
【補正対象項目名】全文
【補正方法】変更
【補正の内容】
【特許請求の範囲】
【請求項１】
人の動作及び向きをモニタリングするためのデバイスであって、
時間に渡って画像を得るためのイメージングユニットと、
前記人の周囲から画像を得るために前記イメージングユニットを保持するための保持手段であって、前記保持手段は、前記イメージングユニットが前記人から見て外を向くように、前記人上に前記イメージングユニットを配置するためのホルダを有する、保持手段と、
続いて得られた画像の変化を検出することにより前記人の動作及び向きを検出するための処理ユニットとを有する、デバイス。
【請求項２】
前記処理ユニットは、前記人の動作、とりわけ加速度及び／又は周期的動作を検出するために、得られた画像における、周囲の１又はそれ以上の特徴、とりわけ、光の静的なマーク又は勾配の周期的変位を検出するように構成される、請求項１に記載のデバイス。
【請求項３】
前記イメージングユニットは、とりわけ静止画像カメラ、ビデオカメラ及び／又は赤外線カメラを用いて静止画像又はビデオデータを得るために、連続的に又は定期的に画像を得るように構成される、請求項１に記載のデバイス。
【請求項４】
前記画像が遠隔からアクセスされるのを可能にするための接続を更に有する、請求項１に記載のデバイス。
【請求項５】
前記ホルダは、前記イメージングユニットが前記人の周囲からの画像を得るために前記人の胸部から見て外を向くように、前記人の胸部上に、とりわけ前記人の胸部を覆う衣類又はカバー上に、前記イメージングユニットを配置するように構成され、
前記処理ユニットは、続いて得られた画像の変化を検出することにより呼吸によりもたらされた前記人の胸部の周期的動作を検出し、前記人の胸部の検出された動作から前記人の呼吸数及び／又は呼吸量を決定するように構成される、請求項１に記載のデバイス。
【請求項６】
前記処理ユニットは、続いて得られた画像の検出された変化の期間から前記人の呼吸数を決定するように構成される、請求項５に記載のデバイス。
【請求項７】
前記処理ユニットは、続いて得られた画像における、変化の強度から、とりわけ、周囲の１又はそれ以上の特徴の変位の強度から、前記人の呼吸量を決定するように構成される、請求項５に記載のデバイス。
【請求項８】
前記人に向いているホルダの面は、それぞれ、とりわけ半球の形で湾曲している、請求項４又は請求項５に記載のデバイス。
【請求項９】
前記人の動作の加速度を決定するための加速度測定ユニットを更に有し、
前記処理ユニットは、体の他の動作から呼吸によりもたらされる前記人の期間動作を、得られた画像から区別し、呼吸によりもたらされる前記人の前記周期的動作の決定された加速度から前記人の呼吸を決定するように構成される、請求項５に記載のデバイス。
【請求項１０】
前記イメージングユニットは、前記人の周囲の画像を個別に得るために前記ホルダ上に設けられた少なくとも２つのイメージング要素を有し、
前記処理ユニットは、前記の個別に得られた画像の変化の差分を解析することにより前記人の呼吸量を決定するように構成される、請求項５に記載のデバイス。
【請求項１１】
前記ホルダは、車両のシートベルトに固定され、
前記処理ユニットは、得られた画像から、前記シートベルトにより固定されている人の手の動作を検出し、前記人の手の検出された動作、並びに、前記人の決定された呼吸数及び／又は呼吸量から、前記人の嗜眠状態を検出するように構成される、請求項５に記載のデバイス。
【請求項１２】
人の動作及び向きをモニタリングするための方法であって、
前記人の周囲から画像を得るために前記人から見て外を向いているイメージングユニットにより、時間に渡って画像を得るステップと、
続いて得られた画像の変化を検出することにより前記人の動作及び向きを検出するステップとを有する、方法。
【請求項１３】
人の動作及び向きをモニタリングするためのデバイスにおける使用のためのプロセッサであって、
時間に渡って前記人の周囲から画像を得るための、前記人から見て外を向いているイメージングユニットを有し、
当該プロセッサは、続いて得られた画像の変化を検出することにより前記人の動作及び向きを検出するように構成される、プロセッサ。
【請求項１４】
人の動作及び向きをモニタリングするためのデバイスにおける使用のための処理方法であって、前記デバイスは、時間に渡って人の周囲から画像を得るための、前記人から見て外を向いているイメージングユニットを有し、当該処理方法は、続いて得られた画像の変化を検出することにより前記人の動作及び向きを検出するステップを有する、処理方法。
【請求項１５】
コンピュータプログラムがコンピュータ上で実行されたときに、前記コンピュータが請求項１４に記載の方法のステップを実行することをもたらすためのプログラムコード手段を有する、コンピュータプログラム。
【手続補正書】
【提出日】平成27年9月25日(2015.9.25)
【手続補正１】
【補正対象書類名】特許請求の範囲
【補正対象項目名】全文
【補正方法】変更
【補正の内容】
【特許請求の範囲】
【請求項１】
口腔及び咽喉を有する患者の解剖学的特性を決定する方法であって、
ａ）患者の口腔内に少なくとも１つの構造光パターンを投射するステップと、
ｂ）少なくとも１つの反射された光パターンを検出するステップであって、前記反射された光パターンの各々は、対応する投射された構造光パターンの反射から生じるものである、ステップと、
ｃ）前記少なくとも１つの構造光パターンを考慮して前記少なくとも１つの反射された構造光パターンを解析し、それによって、患者の解剖学的特性を決定するステップと、
を含み、
前記少なくとも１つの構造光パターンの各々は、予め決められた平行ラインの組を含む、並びに前記予め決められた平行ラインの組は、より高密度のライン領域及びより低密度のライン領域を含む、及び／又はより太いライン幅領域及びより細いライン幅領域を含む構造を規定し、その投射は、口腔及び咽喉の予め決められたロケーションに対応する、方法。
【請求項２】
反射前に、第１の偏光モードに従って前記構造光パターンを偏光するステップと、
検出前に、第２の偏光モードに従って前記反射された光パターンを偏光するステップと、
を更に含み、前記第１及び第２の偏光モードは逆向きの偏光である、請求項１に記載の方法。
【請求項３】
少なくとも１つの構造光パターンを投射する位置と少なくとも１つの反射された光パターンを検出する位置との間のベースラインが、７ｃｍ未満である、請求項１又は２に記載の方法。
【請求項４】
前記患者は舌を有し、前記方法が更に、前記ステップ（ａ）を実施する間、前記患者の舌を押すことを含む、請求項１乃至３のいずれか１項に記載の方法。
【請求項５】
前記ステップ（ｂ）は、前記患者の口腔の１又は複数の画像を生成することを含む、請求項１に記載の方法。
【請求項６】
前記患者の口腔の少なくとも１つの基準画像を生成するステップを更に含み、前記ステップ（ｃ）は、前記ステップ（ｂ）において、口腔の個々の画像から基準画像を減算することを更に含む、請求項５に記載の方法。
【請求項７】
反射された光パターンの反射されたラインの破断を検出するステップと、
前記破断を、前記口腔の解剖学的特徴の境界と関連付けるステップと、
を更に含む、請求項１に記載の方法。
【請求項８】
前記ステップ（ｂ）において検出された反射光パターンの反射されたラインの変形を検出するステップと、
前記変形を、前記口腔の解剖学的特徴の形状情報と関連付けるステップと、
を更に含む、請求項１に記載の方法。
【請求項９】
前記患者の前記解剖学的特性は、前記咽喉の後部が前記口腔を形成する又は前記口腔内の他の解剖学的特徴によって閉塞される程度を含む、請求項１に記載の方法。
【請求項１０】
前記患者の前記解剖学的特性は、前記口腔又は前記咽喉内の解剖学的特徴の深さ情報を含む、請求項１乃至９のいずれか１項に記載の方法。
【請求項１１】
口腔及び咽喉を有する患者の解剖学的特性を決定するイメージング装置であって、
前記患者の口腔内に少なくとも１つの構造光パターンを投射する手段と、
少なくとも１つの反射された光パターンを検出する手段であって、前記反射された光パターンの各々が、対応する投射された構造光パターンの反射から生じるものである、手段と、
前記少なくとも１つの構造光パターンを考慮して、前記少なくとも１つの反射された構造光パターンを解析し、それによって前記患者の解剖学的特性を決定する手段と、
を有し、
前記少なくとも１つの構造光パターンの各々は、予め決められた平行ラインの組を含む、並びに前記予め決められた平行ラインの組は、より高密度のライン領域及びより低密度のライン領域を含む、及び／又はより太いライン幅領域及びより細いライン幅領域を含む構造を規定し、その投射は、口腔及び咽喉の予め決められたロケーションに対応する、イメージング装置。
【手続補正書】
【提出日】平成27年10月19日(2015.10.19)
【手続補正１】
【補正対象書類名】特許請求の範囲
【補正対象項目名】全文
【補正方法】変更
【補正の内容】
【特許請求の範囲】
【請求項１】
標的ポリヌクレオチドを特性決定する方法であって、
（ａ）標的ポリヌクレオチドを膜貫通ポアおよびＨｅｌ３０８ヘリカーゼに接触させて、ヘリカーゼがポアを通る標的ポリヌクレオチドの移動を制御し、標的ポリヌクレオチド中のヌクレオチドがポアと相互作用するようにするステップ；および
（ｂ）１つまたは複数の相互作用の間に標的ポリヌクレオチドの１つまたは複数の特性を測定し、それにより標的ポリヌクレオチドを特性決定するステップ
を含む、方法。
【請求項２】
１つまたは複数の特性が、（ｉ）標的ポリヌクレオチドの長さ、（ｉｉ）標的ポリヌクレオチドの同一性、（ｉｉｉ）標的ポリヌクレオチドの配列、（ｉｖ）標的ポリヌクレオチドの二次構造および（ｖ）標的ポリヌクレオチドがメチル化によって、酸化によって、損傷によって、１つもしくは複数のタンパク質で、または１つもしくは複数の標識、タグもしくはスペーサーで修飾されているか否か、から選択される、請求項１に記載の方法。
【請求項３】
標的ポリヌクレオチドの１つまたは複数の特性が電気的測定および／または光学的測定によって測定され、電気的測定が電流測定、インピーダンス測定、トンネル測定または電界効果トランジスタ（ＦＥＴ）測定である、請求項１または２に記載の方法。
【請求項４】
（ａ）標的ポリヌクレオチドを膜貫通ポアおよびＨｅｌ３０８ヘリカーゼに接触させて、ヘリカーゼがポアを通る標的ポリヌクレオチドの移動を制御し、標的ポリヌクレオチド中のヌクレオチドがポアと相互作用するようにするステップ；および
（ｂ）１つまたは複数の相互作用の間にポアを通過する電流を測定して、標的ポリヌクレオチドの１つまたは複数の特性を測定し、それにより標的ポリヌクレオチドを特性決定するステップ
を含む、請求項１に記載の方法。
【請求項５】
ポアに電圧を印加して、ポアとヘリカーゼとの複合体を形成するステップをさらに含み、前記ポリヌクレオチドの少なくとも一部が２本鎖である、前記請求項のいずれか一項に記載の方法。
【請求項６】
ポアが、膜貫通タンパク質ポアまたはソリッドステートポアであり、膜貫通タンパク質ポアが、ヘモリジン（hemolysin）、ロイコシジン（leukocidin）、スメグマ菌（Mycobacterium smegmatis）ポリン（porin）Ａ（ＭｓｐＡ）、外膜ポリン（porin）Ｆ（ＯｍｐＦ）、外膜ポリン（porin）Ｇ（ＯｍｐＧ）、外膜ホスホリパーゼＡ、ナイセリア（Neisseria）オートトランスポーターリポタンパク質（ＮａｌＰ）およびＷＺＡから選択される、前記請求項のいずれか一項に記載の方法。
【請求項７】
膜貫通タンパク質が、（ａ）配列番号２に示す８個の同一のサブユニットから形成されている、または（ｂ）７個のサブユニットの１つもしくは複数が配列全体にわたるアミノ酸同一性に基づいて配列番号２に対して少なくとも５０％の相同性を有し、ポア活性を保持しているその変種である、または（ｃ）配列番号４に示す７個の同一サブユニットから形成されているα−ヘモリジンである、または（ｄ）７個のサブユニットの１つまたは複数が配列全体にわたるアミノ酸同一性に基づいて配列番号４に対して少なくとも５０％の相同性を有し、ポア活性を保持しているその変種である、請求項６に記載の方法。
【請求項８】
Ｈｅｌ３０８ヘリカーゼが、アミノ酸モチーフＱ−Ｘ１−Ｘ２−Ｇ−Ｒ−Ａ−Ｇ−Ｒ（配列番号８）を含み、Ｘ１はＣ、ＭまたはＬであり、Ｘ２は任意のアミノ酸残基、好ましくはＸ２はＡ、Ｆ、Ｍ、Ｃ、Ｖ、Ｌ、Ｉ、Ｓ、ＴまたはＰである、前記請求項のいずれか一項に記載の方法。
【請求項９】
Ｈｅｌ３０８ヘリカーゼが、表４もしくは５に示すヘリカーゼの内の１つもしくはその変種である、またはＨｅｌ３０８ヘリカーゼが、（ａ）配列番号１０、１３、１６、１９、２２、２５、２８、２９、３２、３３、３４、３７、３８、３９、４０、４１、４２、４３、４４、４５、４６、４７、４８、４９、５０、５１、５２、５３、５４、５５および５８のいずれか１つに示す配列、もしくは（ｂ）配列全体にわたるアミノ酸同一性に基づいて関連配列に対して少なくとも４０％の相同性を有し、ヘリカーゼ活性を保持しているその変種、もしくは（ｃ）アミノ酸同一性に基づいて配列番号１０の残基２０から２１１もしくは２０から７２７に対して少なくとも７０％の相同性を有する配列を含む、前記請求項のいずれか一項に記載の方法。
【請求項１０】
Ｈｅｌ３０８ヘリカーゼが標的ポリヌクレオチドに内部ヌクレオチドで結合できる、前記請求項のいずれか一項に記載の方法。
【請求項１１】
少なくとも０．３Ｍまたは少なくとも１．０Ｍの塩濃度を用いて実行され、塩が場合によりＫＣｌである、前記請求項のいずれか一項に記載の方法。
【請求項１２】
膜貫通ポアとＨｅｌ３０８ヘリカーゼとの複合体を形成し、それにより標的ポリヌクレオチドを特性決定するためのセンサーを形成し、好ましくは複合体が、（ａ）標的ポリヌクレオチドの存在下でポアとヘリカーゼとを接触させるステップおよび（ｂ）ポアに電位を印加するステップによって形成され、前記電位が、電圧電位または化学電位であり、好ましくは前記複合体が、ポアをヘリカーゼに共有結合的に付着するステップによって形成される、標的ポリヌクレオチドを特性決定するためのセンサーの形成方法。
【請求項１３】
膜貫通ポアを通る標的ポリヌクレオチドの移動を制御するためのＨｅｌ３０８ヘリカーゼの使用。
【請求項１４】
（ａ）膜貫通ポアおよび（ｂ）Ｈｅｌ３０８ヘリカーゼを含む、標的ポリヌクレオチドを特性決定するためのキット。
【請求項１５】
複数の膜貫通ポアおよび複数のＨｅｌ３０８ヘリカーゼを含む、試料中の標的ポリヌクレオチドを特性決定するための分析装置であって、好ましくは、前記分析装置は、
複数のポアを支持でき、前記ポアおよびヘリカーゼを用いてポリヌクレオチド特性決定を実施するために作動可能であるセンサーデバイス；
特性決定を実施するための材料を保持するための少なくとも１つのリザーバー；
前記少なくとも１つのリザーバーから前記センサーデバイスに材料を制御可能に供給するように構成された流体系；ならびに
各試料を受けるための複数の容器
を含み、前記流体系が前記容器から前記センサーデバイスに前記試料を選択的に供給するように構成されている、分析装置。
【手続補正書】
【提出日】平成27年10月26日(2015.10.26)
【手続補正１】
【補正対象書類名】特許請求の範囲
【補正対象項目名】全文
【補正方法】変更
【補正の内容】
【特許請求の範囲】
【請求項１】
複数の薬剤を、対象の固形組織にデリバリーするデバイスであって、
（i）複数の微小透析プローブと、
（ii）複数の針であって、前記複数の針のそれぞれは、前記複数の微小透析プローブの１つを受容するように構成された複数の針と、
を備え、
前記デバイスは、前記複数の微小透析プローブを前記固形組織に挿入するように構成され、
前記複数の薬剤は、前記複数の微小透析プローブを通して前記固形組織にデリバリーされるデバイス。
【請求項２】
前記デバイスは、前記複数の微小透析プローブを通して前記複数の薬剤を流すことによって前記複数の薬剤を前記固形組織にデリバリーするように構成された
請求項１に記載のデバイス。
【請求項３】
前記複数の針に動作可能に連結された、少なくとも１つの制御部をさらに備える
請求項１に記載のデバイス。
【請求項４】
前記複数の微小透析プローブは、少なくとも３つの微小透析プローブを含み、より好ましくは少なくとも５つの微小透析プローブを含み、更に好ましくは少なくとも１０個の微小透析プローブを含む
請求項１に記載のデバイス。
【請求項５】
前記複数の針は、少なくとも３本の針を含み、より好ましくは少なくとも５本の針を含み、更に好ましくは少なくとも１０本の針を含む
請求項１に記載のデバイス。
【請求項６】
前記固形組織への前記複数の微小透析プローブの挿入を案内するガイドデバイスをさらに備える
請求項１に記載のデバイス。
【請求項７】
前記固形組織は腫瘍である
請求項１に記載のデバイス。
【請求項８】
前記複数の薬剤は化学療法剤を含む
請求項１に記載のデバイス。
【請求項９】
前記デバイスは、前記複数の薬剤を軸に沿って前記固形組織にデリバリーするように構成された
請求項１に記載のデバイス。
【請求項１０】
前記デバイスは、前記複数の薬剤を前記固形組織にデリバリーするように構成され、
前記固形組織の外側で、前記複数の薬剤が(i)検出不可能であるか、または(ii)前記固形組織の外側で検出可能な場合には、前記複数の薬剤が最小有効用量未満で存在する
請求項１に記載のデバイス。
【請求項１１】
前記デバイスは、システム的にデリバリーされる場合、対象において検出可能な効果を発揮するのに必要な最小用量未満の量で複数の薬剤をデリバリーするように構成された
請求項１に記載のデバイス。
【請求項１２】
前記デバイスは、治療有効濃度で前記複数の薬剤をデリバリーするように構成された
請求項１に記載のデバイス。
【請求項１３】
前記デバイスは、前記固形組織の異なる領域に異なる濃度で前記複数の薬剤のうち少なくとも一つの薬剤をデリバリーするように構成された
請求項１に記載のデバイス。
【請求項１４】
前記デバイスは、前記固形組織の同じ領域に複数の投薬量で前記複数の薬剤のうち少なくとも一つの薬剤をデリバリーするように構成された
請求項１に記載のデバイス。
【請求項１５】
２つ以上の前記複数の薬剤が、前記固形組織内の異なる領域にデリバリーされる
請求項１に記載のデバイス。
【手続補正書】
【提出日】平成27年10月21日(2015.10.21)
【手続補正１】
【補正対象書類名】特許請求の範囲
【補正対象項目名】全文
【補正方法】変更
【補正の内容】
【特許請求の範囲】
【請求項１】
開放遠位端および開放近位端によって画定され、かつそれらの間に中空本体部を有する外側シースであって、前記本体部と前記開放近位端との間に配置された先細部をさらに備える外側シースと、
遠位端および近位端によって画定された閉塞具であって、前記遠位端が閉鎖遠位先端で終端する先細遠位先端部材をさらに備える、閉塞具と、
を具備し、
前記閉塞具が、前記先細遠位先端部材が、前記閉塞具が導入形態にあるときに前記外側シースの前記開放遠位端から突出するように、前記外側シース内に受け入れられるように構成されており、前記先細部と前記先細遠位先端との間の遷移が協働して非外傷性アセンブリ遠位端を形成することを特徴とする外科用アクセスアセンブリ。
【請求項２】
請求項１に記載の外科用アクセスアセンブリにおいて、前記遠位端を画定する縁が非鋭利となるように、前記外側シースの前記遠位端が、丸みが付けられたリムをさらに備えることを特徴とする外科用アクセスアセンブリ。
【請求項３】
請求項１または２に記載の外科用アクセスアセンブリにおいて、前記外側シースの前記開放近位端に固定された把持部をさらに具備することを特徴とする外科用アクセスアセンブリ。
【請求項４】
請求項３に記載の外科用アクセスアセンブリにおいて、前記把持部が、前記把持部を通して形成された少なくとも１つの小さい開口部か、または前記把持部を中心に等距離に間隔が空けられた複数の小さい開口部を備えることができることを特徴とする外科用アクセスアセンブリ。
【請求項５】
請求項１乃至４の何れか１項に記載の外科用アクセスアセンブリにおいて、前記外側シースの前記本体部が透明であることを特徴とする外科用アクセスアセンブリ。
【請求項６】
請求項１乃至５の何れか１項に記載の外科用アクセスアセンブリにおいて、前記外側シースの本体部が、外側シースの所定位置を視覚的に示すように構成された少なくとも１つの基準指標をさらに備えていることを特徴とする外科用アクセスアセンブリ。
【請求項７】
請求項６に記載の外科用アクセスアセンブリにおいて、前記基準指標が、前記外側シースの前記本体部の内面および外面のうちの一方に画像形成可能な可視インクによって印刷されているか、または前記本体部の前記内面および前記外面のうちの一方にエッチングされているか、または一連の間隔を空けて配置された小さい穴または非貫通窪みを含むことを特徴とする外科用アクセスアセンブリ。
【請求項８】
請求項１乃至７の何れか１項に記載の外科用アクセスアセンブリにおいて、前記閉塞具が、前記遠位端と前記近位端との間に延在する本体部をさらに備え、前記近位端に固定して接続されたハンドル部をさらに備え、前記ハンドル部が第１止め部材および把持部材をさらに備え、前記第１止め部材が、前記把持部材の遠位に配置され、前記外側シースの近位端と前記ハンドル部との間に間隙を生成するように、前記把持部材の半径方向広がりとは異なる半径方向広がりを有することを特徴とする外科用アクセスアセンブリ。
【請求項９】
請求項８に記載の外科用アクセスアセンブリにおいて、前記ハンドル部に作動的に接続された係止部材と、前記係止部材を受け入れる受入穴と連通している係合開口部とをさらに具備し、前記係合開口部が、前記ハンドル部に前記係止部材を保持するように構成された保持部材を受け入れるチャネルと連通しており、前記係止部材が、前記閉塞具内にナビゲーション部材を選択的に固定することを特徴とする外科用アクセスアセンブリ。
【請求項１０】
請求項１乃至９の何れか１項に記載の外科用アクセスアセンブリにおいて、前記閉塞具部の前記本体が、少なくとも１つの空隙領域をさらに備えることを特徴とする外科用アクセスアセンブリ。
【請求項１１】
請求項１乃至１０の何れか１項に記載の外科用アクセスアセンブリにおいて、前記閉塞具の本体部が、前記本体部の外面に少なくとも１つの補償突起をさらに備えることを特徴とする外科用アクセスアセンブリ。
【請求項１２】
請求項１乃至１１の何れか１項に記載の外科用アクセスアセンブリにおいて、本体部が、内部に配置されたチャネルセグメントをさらに備え、前記チャネルセグメントがナビゲーション部材を受け入れるように構成されていることを特徴とする外科用アクセスアセンブリ。
【請求項１３】
請求項１乃至１２の何れか１項に記載の外科用アクセスアセンブリにおいて、前記外側シースの一部に作動的に連結する照明リングをさらに具備し、前記照明リングが、上面と、壁部材と、前記照明リングによって支持される少なくとも１つの光素子とを備え、前記照明リングの前記上面を通してアクセス開口部が形成されていることを特徴とする外科用アクセスアセンブリ。
【請求項１４】
請求項１乃至１３の何れか１項に記載の外科用アクセスアセンブリにおいて、前記閉塞具、前記外側シースまたは前記光リングのうちの１つをナビゲーションシステムに作動的に接続するナビゲーション部材をさらに具備することを特徴とする外科用アクセスアセンブリ。
【請求項１５】
請求項１４に記載の外科用アクセスアセンブリにおいて、前記ナビゲーション部材が、ＲＦＩＤチップ、センサ、超音波プローブ、複数の反射部材、アレイ、または閉塞具内に配置された撮像デバイスのうちの１つであることを特徴とする外科用アクセスアセンブリ。
【請求項１６】
請求項１４または１５に記載の外科用アクセスアセンブリにおいて、前記ナビゲーション要素が前記外側シース内に埋められているかまたは成形されていることを特徴とする外科用アクセスアセンブリ。
【請求項１７】
請求項１乃至１６の何れか１項に記載の外科用アクセスアセンブリと保持アセンブリとを具備する外科用アクセスシステムにおいて、前記保持アセンブリが、
本体部と、
係合バレルと、
前記本体部の遠位端においてフックとして構成された保持部材であって、前記フックが、前記外科用アクセスアセンブリの前記外側シースの一部を圧縮するように部分的に取り囲み、それにより、前記外側シースに対し、前記フックによって保持されている間に、選択的に角度を付けることができるように、寸法が決められており、前記係合バレルが、前記本体の近位端に配置されかつ外科用保持装置に作動的に接続されるように構成されている保持部材と、
を備えることを特徴とする外科用アクセスシステム。
【請求項１８】
請求項１７に記載の外科用アクセスシステムにおいて、前記係合バレルが、前記本体部の周りを選択的に回転するように構成されていることを特徴とする外科用アクセスシステム。
【手続補正書】
【提出日】平成27年10月9日(2015.10.9)
【手続補正１】
【補正対象書類名】明細書
【補正対象項目名】０００５
【補正方法】変更
【補正の内容】
【０００５】
従来技術において周知の圧迫装置は、装置が取着される際に圧力制御のレベルが十分でないか、又は、構造が非常に複雑であり、十分に機能するようにインフレータ・シリンジなどの圧力制御手段又は付加的な装置を必要とするかのどちらかである。
［先行技術文献］
［特許文献］
［特許文献１］  国際公開第９６／２５１１０号
［特許文献２］  欧州特許第１３８２３０６号明細書
［特許文献３］  欧州特許第２２４５９９８号明細書
［特許文献４］  国際公開第２０１２／１２９１４６号
【手続補正２】
【補正対象書類名】特許請求の範囲
【補正対象項目名】全文
【補正方法】変更
【補正の内容】
【特許請求の範囲】
【請求項１】
医療装置であって、
細長い円筒様の形状を有し端部が開放された、血管の圧迫のための本体（１）と、前記本体（１）と患者の肢との接触部位において前記本体（１）を前記患者の肢に取り付けるための保持要素（２）と、当該医療装置を前記患者の肢上の望ましい位置に保持するための締結手段（３）とを含み、
前記本体（１）は、
第１圧迫領域（１ａ）内に位置する前記接触部位において前記血管に圧迫力を加えるための、前記本体（１）の外面に位置する、第１圧迫領域（１ａ）と、
前記本体（１）が第２圧迫領域（１ｂ）を通して前記保持要素（２）により患者の肢に対して押し付けられる、少なくとも１つの第２の圧迫領域（１ｂ）と、
当該医療装置を前記患者の肢に取着する間、圧迫制御のために手動で押されるようになっている第３圧迫領域（１ｃ）と、
を有し、
前記第３圧迫領域（１ｃ）は前記本体（１）の内部に位置する、医療装置。
【請求項２】
前記第１圧迫領域（１ａ）は凸形状を有する、請求項１に記載の医療装置。
【請求項３】
前記本体（１）の端部は傾斜されている、請求項１に記載の医療装置。
【請求項４】
前記本体（１）の長手方向断面は平行四辺形であり、前記本体（１）の横断面は楕円である、請求項１に記載の医療装置。
【請求項５】
前記本体（１）の長手方向断面は台形であり、前記本体（１）の横断面は楕円である、請求項１に記載の医療装置。
【請求項６】
前記第３圧迫領域（１ｃ）は、親指で押されるようになっている、請求項１に記載の医療装置。
【請求項７】
前記第１圧迫領域（１ａ）と前記第３圧迫領域（１ｃ）との間の距離は、前記第１圧迫領域（１ａ）と前記第２圧迫領域（１ｂ）との間の距離より短い、請求項１に記載の医療装置。
【請求項８】
前記第１圧迫領域（１ａ）と前記第２圧迫領域（１ｂ）との間の距離は、前記第１圧迫領域（１ａ）と前記第３圧迫領域（１ｃ）との間の距離より短い、請求項１に記載の医療装置。
【請求項９】
弾性パッド（６）が前記第１圧迫領域（１ａ）に取り付けられている、請求項１に記載の医療装置。
【請求項１０】
前記弾性パッド（６）は、前記弾性パッド（６）を交換するために、取り外し可能に取り付けられている、請求項９に記載の医療装置。
【請求項１１】
前記弾性パッド（６）は熱活性化材料で作成されている、請求項９又は１０に記載の医療装置。
【請求項１２】
前記弾性パッド（６）は、体温付近の温度で軟化する熱活性化材料で作成されている、請求項１１に記載の医療装置。
【請求項１３】
前記弾性パッド（６）は、ゴム、シリコン又は発泡材料で作成されている、請求項９に記載の医療装置。
【請求項１４】
前記保持要素（２）は、前記第１圧迫領域（１ａ）に近接して前記本体（１）に取り付けられている、請求項１に記載の医療装置。
【請求項１５】
前記保持要素（２）は、患者の肢と少なくとも部分的に接触する内面（２ａ）と、前記保持要素（２）の反対側に位置する外面（２ｂ）とを有する、請求項１に記載の医療装置。
【請求項１６】
前記保持要素（２）の長さは、前記患者の肢及び前記本体（１）に少なくとも一回巻き付けるのに十分である、請求項１に記載の医療装置。
【請求項１７】
前記締結手段（３）は、前記保持要素（２）上に配置されている、請求項１に記載の医療装置。
【請求項１８】
前記締結手段（３）は、第１の部分（３ａ）及び第２の部分（３ｂ）で構成されている、請求項１に記載の医療装置。
【請求項１９】
前記締結手段（３）の前記第１の部分（３ａ）は、前記保持要素（２）の内面（２ａ）上に位置する、請求項１８に記載の医療装置。
【請求項２０】
前記締結手段（３）の前記第２の部分（３ｂ）は、前記保持要素（２）の外面（２ｂ）上に位置する、請求項１９に記載の医療装置。
【請求項２１】
前記締結手段（３）は面ファスナである、請求項１８〜２０のいずれか１項に記載の医療装置。
【請求項２２】
前記締結手段（３）は、バックル、好ましくは締め付けバックルである、請求項１８〜２０のいずれか１項に記載の医療装置。
【請求項２３】
前記保持要素（２）の前記内面（２ａ）は、滑り止め層で被覆されている、請求項１５に記載の医療装置。
【請求項２４】
前記保持要素（２）は、滑り止め材料で作成されている、請求項１に記載の医療装置。
【請求項２５】
前記保持要素（２）の前記内面（２ａ）は、少なくとも部分的に突起部（７）を備えている、請求項１５に記載の医療装置。
【請求項２６】
前記保持要素（２）の前記内面（２ａ）は、少なくとも部分的に開口部を備えている、請求項１５に記載の医療装置。
【請求項２７】
前記保持要素（２）の前記内面（２ａ）は、少なくとも部分的に凹部を備えている、請求項１５に記載の医療装置。
【請求項２８】
前記本体（１）は、前記保持要素（２）を位置決めするための少なくとも１つの案内手段（４）を備えている、請求項１に記載の医療装置。
【請求項２９】
前記保持要素（２）は、前記血管に加えられる圧迫力を制御するために、前記保持要素（２）の位置を示すための目盛を有する、請求項１に記載の医療装置。
【請求項３０】
前記本体（１）は、前記本体（１）の寸法を調整して前記血管に加えられる圧迫力を制御するための調整手段を備えている、請求項１に記載の医療装置。
【請求項３１】
前記本体（１）の断面サイズは、前記血管に加えられる圧迫力を制御すべく調整可能である、請求項３０に記載の医療装置。
【請求項３２】
前記保持要素（２）は、患者の肢の安定化のために、特に前記患者の肢の関節領域において、少なくとも部分的に幅広である、請求項１に記載の医療装置。
【請求項３３】
前記保持要素（２）はストリップである、請求項１に記載の医療装置。
【請求項３４】
前記本体（１）は透明材料で作成されている、請求項１に記載の医療装置。
【請求項３５】
前記保持要素（２）は透明材料で作成されている、請求項１に記載の医療装置。
【請求項３６】
当該医療装置は、抗菌性コーティングで少なくとも部分的に被覆されている、請求項１に記載の医療装置。
【請求項３７】
当該医療装置は、凝固剤コーティングで少なくとも部分的に被覆されている、請求項１に記載の医療装置。
【請求項３８】
前記本体（１）及び前記保持要素（２）はプラスチック材料で作成されている、請求項１に記載の医療装置。
【請求項３９】
当該医療装置は滅菌されている、請求項１に記載の医療装置。
【手続補正書】
【提出日】平成27年9月18日(2015.9.18)
【手続補正１】
【補正対象書類名】特許請求の範囲
【補正対象項目名】全文
【補正方法】変更
【補正の内容】
【特許請求の範囲】
【請求項１】
反応容器であって、
第１の容器チャンバを画成する第１の容器本体を備える第１の反応容器であって、第１の容器本体が、第１のポートと、第２のポートと、第３のポートとを含み、第１、第２、及び第３のポートの各々は、それを通り第１の容器チャンバと流体連通する通路を画成し、第１の反応容器は、さらに、細長い管状本体を有する細長い浸漬管であって、細長い管状本体が、第１の開放端部と、対向する第２の開放端部と、それらの間を流体連通して延在する細長い浸漬管通路とを画成し、浸漬管が、第２のポートを液密接続で通過する、浸漬管を備える、第１の反応容器と、
第２の容器チャンバを画成する第２の容器本体を備える第２の反応容器であって、第２の容器本体が、第１及び第２のポートを含み、第１及び第２のポートの各々は、第２の容器チャンバと流体連通する通路を画成し、第２の容器チャンバはその中に反応体媒体を含む、第２の反応容器とを備える、反応容器。
【請求項２】
反応体媒体が、固相担持前駆体である、請求項１記載の反応容器。
【請求項３】
反応体媒体が、固相担持試薬である、請求項１記載の反応容器。
【請求項４】
浸漬管の第２の開放端部が、第１の容器本体の底面に隣接して配置される、請求項１記載の反応容器。
【請求項５】
第２の反応容器の少なくとも一部分の周りに配置された絶縁材料をさらに含む、請求項１記載の反応容器。
【請求項６】
第１の反応容器の第２のポートが、第２の反応容器の第１のポートと嵌合する、請求項１記載の反応容器。
【請求項７】
細長い導管が、第１の反応容器の第２のポートと第２の反応容器の第１のポートとの間に延在する、請求項１記載の反応容器。
【請求項８】
フリットが、樹脂−リンカー−ベクターを担持する、請求項２記載の反応容器。
【請求項９】
多段式化学反応を実施するためのカセットであって、
第１及び第２の端部弁と、それらの間のマニホールド流路に沿って配向された複数の内部弁とを含む細長いマニホールドであって、弁の各々間に細長いマニホールド流路を画成する、マニホールドと、
請求項１の反応容器と、
弁上に担持された１以上のポンプ手段と、
マニホールド流路に入るように方向付けることができる内容物を保持する１以上の試薬バイアルと、
弁の２つを渡して連結された１以上の反応容器とを備える、カセット。
【請求項１０】
端部弁が、２以上の弁ポートと、そのそれぞれ２つの弁ポートを互いに流体連通させるように、又はそのそれぞれの弁ポートを互いから流体的に分離するように配置可能であるコック栓とを含み、２以上の弁ポートの１つは、そのそれぞれの端部弁から外部に開放しており、
複数の内部弁が、３つの弁ポートと、２以上の内部弁ポートを互いに流体連通させるように配置可能であるコック栓とを含み、各弁の弁ポートの２つは、隣接する弁の弁ポートと流体連通しており、第３の弁ポートは、そのそれぞれの内部弁から外部に開放し、
弁の各々は、その外部に開放する弁ポートと流体連通させて、コネクタ、細長い開放バイアルハウジング、シリンジポンプ、及び細長い開放入口ハウジングの１つを担持し、バイアルハウジングを担持する各弁は、さらに、バイアルハウジング内に延在する細長い中空スパイクを担持する、請求項９記載のカセット。
【請求項１１】
第１の反応容器の第１のポートが、マニホールドの第１の弁に、それらの間に延在する細長い導管を介して連結され、第２の反応容器の第２のポートが、マニホールドの第２の弁に、それらの間に延在する細長い導管を介して連結される、請求項１０記載のカセット。
【請求項１２】
反応容器が、第２の反応容器内に固相担持触媒を含む、請求項９記載のカセット。
【請求項１３】
多段式化学反応を実施するための方法であって、
ｇ）［18Ｆ］フッ化物をカートリッジ上に捕捉する段階と、
ｈ）捕捉された［18Ｆ］フッ化物を溶離剤を用いて、反応容器側部アームを介して請求項１記載の反応器内に溶離する段階と、
ｉ）反応溶媒を側部アーム又は浸漬管を介して加え、反応溶媒を加熱してフッ化物錯体を溶解させる段階と、
ｊ）高温のフッ化物溶液を浸漬管を通して固相担持前駆体まで引き上げ、高温のフッ化物溶液を固相担持前駆体において保持し、溶液を再度加熱するために反応容器に戻す段階と、
ｋ）フッ化物の組み込みレベルが許容可能になるまで引き上げる段階を反復する段階と、
ｌ）［18Ｆ］標識シントンの溶液を反応器に入るように方向付ける、又は適宜洗浄溶媒を用いてＲＬＶを洗い流す段階とを含む方法。
【請求項１４】
第１の反応容器内で反応温度を調整する段階をさらに含む、請求項１３記載の方法。
【請求項１５】
第２の前駆体及び触媒の溶液を第１の反応器に加える段階をさらに含む、請求項１４記載の方法。
【請求項１６】
第１の反応器内で結合反応を完了する段階をさらに含む、請求項１３記載の方法。
【請求項１７】
過剰な第２の前駆体を、第２の反応容器内で固相担持前駆体又はＲＬＶと反応させる段階をさらに含む、請求項１５記載の方法。
【請求項１８】
方法によって形成された半粗製生成物を希釈槽に取り出す段階をさらに含む、請求項１３記載の方法。
【請求項１９】
フッ化物及び溶離剤が、浸漬管及び／又は左側部アームを通して窒素流によって第１の反応容器内で乾燥される、請求項１３記載の方法。
【請求項２０】
固体相カートリッジを用いて精製する段階をさらに含む請求項１３記載の方法。
【手続補正書】
【提出日】平成27年8月18日(2015.8.18)
【手続補正１】
【補正対象書類名】明細書
【補正対象項目名】００４２
【補正方法】変更
【補正の内容】
【００４２】
実施例５及び６
実施例５で採用する比率は０．７３：１（洗浄液：固形残留物）であり、実施例６で採用する比率は４．３：１である。図５は、実施例５及び６において、固形残留物に洗浄液を加えた後の写真（左から右、つまり左：実施例５、右：実施例６）である。
図６は、実施例５及び６において、洗浄液の追加から４８時間後、固形残留物が視認可能に溶解していることを示す写真（左から右）である。図７は、洗浄液の追加直後に傾けて回転させた実施例５を撮影した写真である。図８は、２４〜４８時間後に実施例５を撮影した写真であり、固形残留物が洗浄液に効果的に溶解され、広口瓶の底に固形残留物が実質的に存在しないことが示されている。
以下に、本願発明に関連する発明の実施形態について列挙する。
［実施形態１］
（メタ）アクリル酸又はエステルの処理に用いる機器から固形残留物を除去する方法であって、
前記固形残留物を、２〜１０個の炭素原子を有する有機カルボン酸を含む洗浄液に溶解して、固形残留物スラリーを生成する手順と、
前記機器から前記固形残留物スラリーを除去する手順と、を含む方法。
［実施形態２］
実施形態１に記載の方法であって、前記有機カルボン酸が、酢酸、プロピオン酸、無水酢酸、無水プロピオン酸、又はこれらの組み合わせである、方法。
［実施形態３］
実施形態１に記載の方法であって、前記洗浄液のｐＫａが３〜７である、方法。
［実施形態４］
実施形態１に記載の方法であって、前記洗浄液の前記固形残留物に対する割合が０より大きい数：１である、方法。
［実施形態５］
実施形態１に記載の方法であって、前記洗浄液の前記固形残留物に対する割合が１：１である、方法。
［実施形態６］
実施形態１に記載の方法であって、前記洗浄液の前記固形残留物に対する割合が２：１である、方法。
［実施形態７］
実施形態１に記載の方法であって、前記固形残留物スラリーを除去する前に前記固形残留物を前記洗浄液に２４時間浸漬する手順を更に含む、方法。
［実施形態８］
実施形態１に記載の方法であって、前記洗浄液がアクリル酸３〜５重量％と水１〜２重量％を更に含む、方法。
［実施形態９］
実施形態１に記載の方法であって、前記洗浄液がアクリル酸の処理から得られる酢酸副生成物溶液である、方法。
［実施形態１０］
実施形態１に記載の方法であって、前記固形残留物を洗浄液に溶解する手順が、前記固形残留物を撹拌することを含む、方法。
［実施形態１１］
実施形態１に記載の方法であって、前記溶解及び除去手順を、２４時間後に繰り返す、方法。
［実施形態１２］
実施形態１に記載の方法であって、前記溶解手順が、１００℃よりも低い温度で、かつ、大気圧下で行われる、方法。
［実施形態１３］
実施形態１に記載の方法であって、前記溶解手順が、４０℃よりも低い温度で、かつ、大気圧下で行われる、方法。
［実施形態１４］
実施形態１に記載の方法であって、前記溶解手順が、室温で、かつ、大気圧下で行われる、方法。
【手続補正２】
【補正対象書類名】特許請求の範囲
【補正対象項目名】全文
【補正方法】変更
【補正の内容】
【特許請求の範囲】
【請求項１】
（メタ）アクリル酸又はエステルの処理に用いる機器から固形残留物を除去する方法であって、
前記固形残留物を、２〜１０個の炭素原子を有する有機カルボン酸を含む洗浄液に溶解して、固形残留物スラリーを生成する手順と、
前記機器から前記固形残留物スラリーを除去する手順と、を含む方法。
【請求項２】
請求項１に記載の方法であって、前記有機カルボン酸が、酢酸、プロピオン酸、無水酢酸、無水プロピオン酸、又はこれらの組み合わせである、方法。
【請求項３】
請求項１に記載の方法であって、前記洗浄液のｐＫａが３〜７である、方法。
【請求項４】
請求項１に記載の方法であって、前記洗浄液がアクリル酸３〜５重量％と水１〜２重量％を更に含む、方法。
【請求項５】
請求項１に記載の方法であって、前記洗浄液がアクリル酸の処理から得られる酢酸副生成物溶液である、方法。
【手続補正書】
【提出日】平成27年10月5日(2015.10.5)
【手続補正１】
【補正対象書類名】特許請求の範囲
【補正対象項目名】全文
【補正方法】変更
【補正の内容】
【特許請求の範囲】
【請求項１】
２−ブロモ−３，３，３−トリフルオロプロペン、
シクロヘキセンオキシドまたはシクロペンテンオキシド、ならびに、
２，５−ジ−ｔｅｒｔ−ブチル−４−メトキシフェノール；３，５−ジ−ｔｅｒｔ−ブチル−４−ヒドロキシケイ皮酸のＣ7-9分枝アルキルエステル；および１，２，５，６−
ジエポキシシクロオクタンから成る群から選ばれる少なくとも１つの抗酸化物質
を含む、安定化された組成物。
【請求項２】
請求項１に記載の組成物であって、本質的に、
２−ブロモ−３，３，３−トリフルオロプロペン、
シクロヘキセンオキシド、および、
２，５−ジ−ｔｅｒｔ−ブチル−４−メトキシフェノール；３，５−ジ−ｔｅｒｔ−ブチル−４−ヒドロキシケイ皮酸のＣ7-9分枝アルキルエステル；または１，２，５，６−
ジエポキシシクロオクタン
から成る組成物。
【請求項３】
請求項１または２に記載の組成物であって、前記シクロヘキセンオキシドまたはシクロペンテンオキシドは、前記安定化された組成物の重量に基づき５００ｐｐｍから１０，０００ｐｐｍまでの範囲の濃度を有する組成物。
【請求項４】
請求項１〜３のいずれか１項に記載の組成物であって、前記安定化された組成物の重量に基づき２００ｐｐｍから５０００ｐｐｍまでの範囲の濃度を有する、３，５−ジ−ｔｅｒｔ−ブチル−４−ヒドロキシケイ皮酸のＣ7-9分枝アルキルエステルを含む組成物。
【請求項５】
請求項１〜４のいずれか１項に記載の組成物であって、前記組成物は、金属面を含む容器に保管され、前記金属面の少なくとも一部分は前記組成物の少なくとも一部分と接触する組成物。
【請求項６】
前記金属面は鋼と黄銅の少なくとも一方を含む、請求項５に記載の組成物。
【請求項７】
Ｎ2をさらに含む、請求項１〜６のいずれか１項に記載の組成物。
【請求項８】
前記Ｎ2は２０ｐｓｉｇから８００ｐｓｉｇまでの分圧を有する、請求項７に記載の組
成物。
【請求項９】
容器と、バルブと、ノズルとを含み、任意にホースを含む消火ユニットであって、
前記容器は請求項１〜８のいずれか１項に記載の組成物を格納し、
前記組成物は７０ｐｓｉｇから８００ｐｓｉｇまでの圧力を有する、消火ユニット。
【請求項１０】
請求項９に記載の消火ユニットであって、前記容器、バルブ、および他の湿潤部分が、鋼、ステンレス鋼、炭素鋼、アルミニウム、または黄銅のうちの少なくとも１つを含む、消火ユニット。
【請求項１１】
２−ブロモ−３，３，３−トリフルオロプロペンを安定化させる方法であって、
前記２−ブロモ−３，３，３−トリフルオロプロペンに、
有効量の、
シクロヘキセンオキシドまたはシクロペンテンオキシド、ならびに、
２，５−ジ−ｔｅｒｔ−ブチル−４−メトキシフェノール；３，５−ジ−ｔｅｒｔ−ブチル−４−ヒドロキシケイ皮酸のＣ7-9分枝アルキルエステル；および１，２，５，６−
ジエポキシシクロオクタンから成る群より選ばれる少なくとも１つの抗酸化物質
を加えることを含む方法。
【請求項１２】
請求項１１に記載の方法であって、前記２−ブロモ−３，３，３−トリフルオロプロペンに、２０００重量ｐｐｍのシクロヘキサンオキシドと、１０００重量ｐｐｍの３，５−ジ−ｔｅｒｔ−ブチル−４−ヒドロキシケイ皮酸のＣ7-9分枝アルキルエステルとを加え
ることを含む方法。
【請求項１３】
請求項１１に記載の方法であって、前記２−ブロモ−３，３，３−トリフルオロプロペンに、２０００重量ｐｐｍのシクロヘキセンオキシドと、１０００重量ｐｐｍの２，５−ジ−ｔｅｒｔ−ブチル−４−メトキシフェノールとを加えることを含む方法。
【請求項１４】
請求項１１に記載の方法であって、
前記２−ブロモ−３，３，３−トリフルオロプロペンに、
シクロヘキセンオキシドまたはシクロペンテンオキシド、および、２，５−ジ−ｔｅｒｔ−ブチル−４−メトキシフェノール；３，５−ジ−ｔｅｒｔ−ブチル−４−ヒドロキシケイ皮酸のＣ7-9分枝アルキルエステル；または１，２，５，６−ジエポキシシクロオク
タン
を加えることにより、
炭素鋼または黄銅を含む金属の存在下で安定な組成物が得られ、その結果、６０℃で２週間、前記組成物と前記金属の間が接触した後、前記金属に視認可能な変化が実質的にまったく発生しない方法。
【請求項１５】
前記２−ブロモ−３，３，３−トリフルオロプロペンの純度が９９．０％以上である、請求項１１〜１４のいずれか１項に記載の方法。
【手続補正書】
【提出日】平成27年6月30日(2015.6.30)
【手続補正１】
【補正対象書類名】特許請求の範囲
【補正対象項目名】全文
【補正方法】変更
【補正の内容】
【特許請求の範囲】
【請求項１】
医用装置の遠位端部に置かれ、及び軌道経路に沿って身体内に挿入されるように構成されるプローブ、並びに
前記装置の変位追跡部に取り付けられ、及び前記装置の近位端部に置かれるセンサーであり、前記プローブを前記軌道経路に沿って前進又は後退させるとき、前記プローブの位置が前記位置から前記身体内の前記プローブの次の位置までの変位を決定するように組織の表面に対して決められるように、前記変位追跡部と組織の表面との間において、前記プローブに平行な距離を測定するように構成される前記センサー
を有する医用装置。
【請求項２】
前記プローブは、１つ以上の焼灼電極がその上に形成される焼灼プローブを含んでいる、請求項１に記載の装置。
【請求項３】
前記センサーにより測定される測定値を示すディスプレイをさらに有する請求項１に記載の装置。
【請求項４】
測定値をリセットするために、前記変位追跡部に取り付けられるリセットボタンをさらに有する請求項１に記載の装置。
【請求項５】
治療計画に対して前記プローブの位置が監視されるように、外部の構成要素と通信するように構成される通信モジュールをさらに有する請求項１に記載の装置。
【請求項６】
前記変位追跡部は、前記プローブの一部が決められた範囲内にあるとき、第１の状態を示し、及び前記プローブの一部が前記決められた範囲の外側にあるとき、第２の状態を示す、前記変位追跡部に取り付けられる表示器を含んでいる請求項１に記載の装置。
【請求項７】
前記変位追跡部は、後続する操作のために前記プローブを動かす方向を示す、前記変位追跡部に取り付けられる表示器を含んでいる請求項１に記載の装置。
【請求項８】
前記プローブは、検出、生検、撮像又は病理の１つ以上に用いられる、請求項１に記載の装置。
【請求項９】
医療装置の遠位端部に置かれ、及び起動経路に沿って身体内に挿入されるように構成されるプローブ、
前記装置の変位追跡部に取り付けられ、及び前記装置の近位端部に置かれるセンサーであり、前記プローブを前記軌道経路に沿って前進又は後退させるとき、前記プローブの位置が前記位置から前記身体内の前記プローブの次の位置までの変位を決定するように組織の表面に対して決められるように、前記変位追跡部と組織の表面との間において、前記プローブに平行な距離を測定するように構成される前記センサー、
前記変位追跡部により集めされた距離の測定値を表示するように構成されるディスプレイ、並びに
通信リンクを介して前記医療装置に結合される外部の計算構成要素であり、治療計画に従って、前記軌道経路に沿って前記プローブを並進させるための距離値を与える前記外部の計算構成要素
を有する医療システム。
【請求項１０】
前記ディスプレイは、前記医療装置及び前記外部の構成要素の１つ以上に設けられる請求項９に記載のシステム。
【請求項１１】
前記外部の計算構成要素は、前記治療計画に従って後続するエリアの位置を決めるように構成される計画アルゴリズムを記憶している、請求項９に記載のシステム。
【請求項１２】
内部組織にアクセスするための計画を決定するステップ、
前記計画と一致する軌道に従ってプローブを位置決めるステップ、
前記プローブの一部に対し第１の部位を位置特定するために、医療装置の近位端部と組織の表面との間における、前記軌道に沿った前記プローブに平行な距離を測定するステップ、
前記第１の部位において医療行為を実施するステップ、及び
前記プローブの一部に対し後続する部位を位置特定するために、前記第１の部位から身体内の前記プローブの前記後続する部位までの変位を決定するように前記医療装置の近位端部と前記組織の表面との間における、前記軌道に沿った前記プローブに平行な距離を測定することにより、前記軌道に従って前記プローブを再位置決めるステップ
を有する方法。
【請求項１３】
前記医療装置の変位追跡部に取り付けられるリセットボタンを作動させることにより、測定値をリセットするステップをさらに有する請求項１２に記載の方法。
【請求項１４】
前記後続する部位を位置特定するための情報が前記通信リンクを介して前記医療装置に送られるように、前記医療装置の通信モジュールと外部の構成要素の通信モジュールとの間に通信リンクを設置するステップをさらに有する請求項１２に記載の方法。
【請求項１５】
前記プローブの一部が決められた範囲内にあるとき、第１の状態を示し、及び前記プローブの一部が前記決められた範囲の外側にあるとき、第２の状態を示す表示器を前記医療装置に設けるステップをさらに有する請求項１２に記載の方法。